(57)【特許請求の範囲】
【請求項１】
盛土または切土における法面区域に、防草シートに基づいて形成された防草構造体の端部を固定する施工方法であって、
防草シートの少なくとも一方の端部を板状部材の平坦面に取り付ける工程と、
防草シートが取り付けられた板状部材における長辺の解放端側の縁端を法面に向けて所定角度で設置する工程と、
板状部材が、少なくとも隣り合う防草シートの重なり代部分に釘状器具の直径以上の直径で設けられる釘状器具用の孔を有し、防草シートが取り付けられた板状部材を設置する工程の後に、隣り合う防草シートの重なり代部分と板状部材の孔を貫通させて法面に釘状器具を打設する工程と
を有する
防草構造体の施工方法。
【請求項２】
防草シートを板状部材に取り付ける工程では、
防草シートの少なくとも一方の端部を折り返して板状部材の長辺の端部に巻くように取り付ける
請求項１記載の防草構造体の施工方法。
【請求項３】
防草シートを板状部材に取り付ける工程では、
防草シートの少なくとも一方の端部を接着または融着する
請求項１または２記載の防草構造体の施工方法。
【請求項４】
板状部材は、長辺に沿う折曲部により平坦面が２領域片に分割された形状であり、
防草シートが取り付けられた板状部材を設置する工程では、
解放端側の領域片は法面に向けて所定角度で設置され、
防草シート側の領域片は法面に平行に設置される
請求項１〜３の何れか１項記載の防草構造体の施工方法。
【請求項５】
板状部材は、長辺の寸法が、防草シートの短辺寸法以下であり、
防草シートを板状部材に取り付ける工程では、
防草シート毎に個別の板状部材を取り付ける
請求項１〜４の何れか１項記載の防草構造体の施工方法。
【請求項６】
板状部材は、長辺の寸法が、防草シートの短辺寸法から、隣り合う防草シートとの重なり代部分を除いた寸法以下であり、
防草シートを板状部材に取り付ける工程では、
隣り合う防草シートの重なり代部分を設けながら、防草シート毎に個別の板状部材を取り付ける
請求項５記載の防草構造体の施工方法。
【請求項７】
防草シートが取り付けられた板状部材を法面に設置する工程では、
予め板状部材を埋設可能な寸法の溝を掘る工程と、
防草シートが取り付けられた板状部材を埋設する工程を
有する
請求項１〜６の何れか１項記載の防草構造体の施工方法。
【請求項８】
予め板状部材を埋設可能な寸法の溝を掘る工程では、
溝を形成するために回転する歯を有する工具を用いる
請求項７記載の防草構造体の施工方法。
【請求項９】
予め板状部材を埋設可能な寸法の溝を掘る工程では、
スコップ状工具を用いて端部に沿うように溝を形成する
請求項７記載の防草構造体の施工方法。
【請求項１０】
予め板状部材を埋設可能な寸法の溝を掘る工程では、
溝を形成するために、予め板状部材と同等以上の厚みと長さ寸法を有する板状体を法面に打ち込んで溝を形成する
請求項７記載の防草構造体の施工方法。
【請求項１１】
防草シートが取り付けられた板状部材を法面に設置する工程では、
防草シートが取り付けられた板状部材を打設する
請求項１〜６の何れか１項記載の防草構造体の施工方法。
【請求項１２】
防草シートの端部を板状部材に取り付ける工程の前後に、
防草シートにおける板状部材の短辺側からはみ出す部分のうち、隣接する板状部材に取り付け可能な部分から一部を切除する工程
を有する
請求項１〜１１の何れか１項記載の防草構造体の施工方法。
【請求項１３】
隣接する板状部材に取り付け可能な部分から一部を切除する工程では、
当該部分のうちの折り返し部の一部を切除する
請求項１２項記載の防草構造体の施工方法。
【請求項１４】
請求項１〜１３の何れか１項記載の施工方法により形成される、防草構造体。
【請求項１５】
請求項１〜１３の何れか１項記載の施工方法で用いられる、長辺の寸法が防草シートの短辺寸法以下である板状部材。
【請求項１６】
断面形状がＬ字型、または、への字型である
請求項１５記載の板状部材。
【発明の詳細な説明】
【技術分野】
【０００１】
本発明は、盛土または切土の法面区域上における草の成育を防止する必要がある場所に防草シートを含む防草構造体を施工する施工方法に関し、特に、法面の途中区域中に防草構造体の上端部又は下端部を固定する施工方法に関する。
【背景技術】
【０００２】
道路、線路等は、盛土または切土の両脇の斜面（法面）に挟まれた上部や、切土の両脇の斜面（法面）に挟まれた下部に形成されることがある。その盛土または切土の両脇の斜面（法面）は、土をむき出しとすると、法面に雑草等が生い茂ってしまう。すると、法面の雑草等により美観が損なわれたり、道路の路肩と法肩または法尻との間の雑草が道路側に伸びることにより通行人や通行車両の安全が損なわれたりする可能性がある。そのため、路肩およびそれに隣接する法面には、雑草などの草の成育を防止させるために防草シートを敷設することが提案されている。なお、本明細書における「法面」とは、道路や線路およびこれらの周辺の法面、切土、盛土などでできた法面、段差のある２つの地表面の間の法面、２つの地表面の間の法面および２つの地表面の間などを意味する。
【０００３】
草の成育を防止するためには、例えば、特許文献１に開示されているような防草シートが用いられている。
【０００４】
草の成育を防止するための構造体として、例えば、特許文献２には、法面部上端の路肩部に布設されるコンクリートブロック部と、そのコンクリートブロック部の法面側に一端部が一体的に固定された防草シート部とからなり、コンクリートブロック部を路肩部に布設した状態で、防草シート部を法面部上に展開して法面部を被覆可能とした路肩ブロックが開示されている。また、特許文献２では、上端部を法肩上の構造物に固定した防草シートを法面に沿ってそのまま垂れ下げ、防草シートの上下間を法面に沿って数本の止め金具で固定する方法が示されている。
【０００５】
また、特許文献３には、シート両面に多数の凸部を交互に形成した遮光性かつ遮水性の合成樹脂製エンボスシート（防草シート）を、除草すべき地面に敷設、固定したことを特徴とする防草構体が開示されている。この特許文献３には、路肩にガードレールがある場合には、ガードレール支柱と、エンボスシート（防草シート）に形成したガードレール支柱の挿通孔との隙間に、コーキング材を詰めることが開示されている。また、特許文献３でも、上端部を法肩上の構造物に固定した防草シートを法面に沿ってそのまま垂れ下げ、防草シートの上下間を法面に沿って数本の固定ピンで固定する方法が示されている。
【０００６】
また、特許文献４では、防草シートの下側端を法尻の路肩コンクリートブロックに埋設し、断面Ｌ字状に屈曲させた２領域片からなる長尺の埋設部材における１領域片の内側で、防草シートの上側端部を法面に押圧すると共に、他の１領域片を法面に埋設して防草シートの上側端部を固定する方法が開示されている。
【０００７】
また、特許文献５では、防草パネルの上側端を法肩の構造物に固定し、防草パネルを法面に沿ってそのまま置き、防草パネルの下側端を、断面Ｌ字状に屈曲させた２領域片からなる長尺の部材（係止部）における１領域片の外側にネジと割溝で固定すると共に、他の１領域片を法面に係入して防草シートの下側端部を固定する方法が開示されている。
【先行技術文献】
【特許文献】
【０００８】
【特許文献１】特開２００２−２７２３４８号公報
【特許文献２】特開２００５−３０７５１８号公報
【特許文献３】特開２００６−１７７１２２号公報
【特許文献４】特開２００８−１８４８１４号公報
【特許文献５】特開平１１−６１２２号公報
【発明の概要】
【発明が解決しようとする課題】
【０００９】
ところで、従来の防草シートを法面に固定する方法としては、上記したように法面上に置かれた防草シートの上から固定ピン等を法面に埋め込んで固定する方法が提案されている。また、断面Ｌ字状の部材を使い、防草シートを固定する場合は、以下の３通りの施工方法が提案されている。
（１）まず先に防草シートの一端をＬ字部材の１方の領域片上に接着等により固定し、法面におけるＬ字部材の他方の１領域片が配置される位置に器具等を使って横方向の溝状に穴を掘り、そのＬ字部材の他方の１領域片を置いてから埋め戻す。この場合、防草シートの固定はＬ字部材の１方の領域片上の接着のみのため、他方の１領域片を打ち込もうとすると、固化した接着部が打撃により損壊する可能性があることから、打ち込みは難しい。
（２）先にＬ字部材を埋め、その上に防草シートを接着する。この場合、Ｌ字部材は単純に上から打ち込んで打設できるので、先に溝を掘らなくてもよい。但し、接着部が固化するまで上から押さえる必要がある。
（３）防草シートの法面に沿って垂れ下げ、その下端に沿って器具等を使って横方向の溝状に穴を掘り、Ｌ字部材の１領域片で防草シートの下端を押さえるように置いてから埋め戻す。この場合は法面が土石で形成されて柔らかく平坦ではなくいことから接着等による固定は難しい。従って、この場合の防草シートの下端は最終的には固定ピン等による固定となる。
【００１０】
しかし、防草シートの固定ピンのみによる固定方法では、法面の土石の流出又は落下を防ぐことが難しかった。また、Ｌ字部材を用いる場合で法面に横方向の溝状に穴を掘る場合、斜面における作業は困難でありその掘削労力は多大であった。また、斜面における掘削は、掘削土が落下しやすく、その下側の斜面や法尻部を土石で汚したり、下側の作業者が危険にさらすことがあり、さらに埋め戻し用の土石を下から上に搬送するのに多大な労力が必要になっていた。また、先にＬ字部材を埋める場合、斜面で接着材の固化時間中ずっと法面に対して垂直に上から押さえる力を維持することは困難であった。
【００１１】
また、防草シートの上側の端部を法面に固定する場合には、防草シートの上側の端部に沿って溝状に穴を掘ると落下する土石で防草シートが汚れることがあり、清掃等の工数が増加することがあった。また、防草シートの上側の端部を法面に固定する場合で、防草シートを固定ピンのみにより固定する場合、法面の上側から表面を流れてくる雨水が防草シートの中に流入することで非透水性の防草シートの下側端部の固定部に損傷を与える可能性があった。
【００１２】
そこで本発明は、上記の課題を解決するため、盛土または切土における法面に防水性防草シートの上端部又は下端部を固定する場合に、法面の土石を掘削する労力を削減すると共に掘削した土石の落下を防ぐと共に、上端部を固定する場合に法面の表面を流れる雨水がシートの裏面側に流入し難い防草構造体とその施工方法を提供することを目的とする。
【課題を解決するための手段】
【００１３】
（１）上記課題を解決するために、本発明に係る防草構造体の施工方法は、盛土または切土における法面区域に、防草シートに基づいて形成された防草構造体の端部を固定する施工方法であって、防草シートの少なくとも一方の端部を板状部材の平坦面に取り付ける工程と、防草シートが取り付けられた板状部材における長辺の解放端側の縁端を法面に向けて所定角度で設置する工程とを有する。
本態様の防草構造体の施工方法によれば、防草シートの一端に板状部材を固定し、法面に所定角度で設置することで、法面途中への防草シートの固定を容易にすることができる。
なお、板状部材の長辺の解放端側の縁端を法面に向けて所定角度で設置する際の所定角度は、板状部材が法面区域にしっかりと固定できれば、特に限定されることはない。例えば、法面に垂直であってもよく、法肩より先の平面又は法尻より先の平面に平行又は垂直であってもよい。したがって、法面の垂直方向に対して０〜９０°程度の角度でよいが、通常は法面の垂直方向に対して０〜６０°程度の角度である。
【００１４】
（２）好ましくは、本発明に係る防草構造体の施工方法における防草シートを板状部材に取り付ける工程では、防草シートの少なくとも一方の端部を折り返して板状部材の長辺の端部に巻くように取り付けるようにしてもよい。
本態様の防草構造体の施工方法によれば、防草シートを板状部材に巻くように付けることで、防草シートの板状部材への取り付け強度を向上させることができる。また、巻くように取り付けた先端部が法面の土中でアンカーのように引き抜き抵抗となることから法面への固定を強化することができる。
【００１５】
（３）好ましくは、本発明に係る防草構造体の施工方法における防草シートを板状部材に取り付ける工程では、防草シートの少なくとも一方の端部を接着または融着するようにしてもよい。
本態様の防草構造体の施工方法によれば、防草シートの一端を板状部材に接着または融着することで、防草シートの板状部材への取り付けが容易になる。
【００１６】
（４）好ましくは、本発明に係る防草構造体の施工方法における板状部材は、長辺に沿う折曲部により平坦面が２領域片に分割された形状であり、防草シートが取り付けられた板状部材を設置する工程では、解放端側の領域片は法面に向けて所定角度で設置され、防草シート側の領域片は法面に平行に設置されるようにしてもよい。
本態様の防草構造体の施工方法によれば、折曲がり板状部材を用い、折曲がり板状部材の解放端側の領域片４０ｂが法面に所定角度で設置されることで、防草シートが板状部材のエッジで折り曲げられることが無くなり、防草シートの劣化が減少し、法面への防草シートの固定強度も向上する。
【００１７】
（５）好ましくは、本発明に係る防草構造体の施工方法における板状部材は、長辺の寸法が、防草シートの短辺寸法以下であり、防草シートを板状部材に取り付ける工程では、防草シート毎に個別の板状部材を取り付けるようにしてもよい。
本態様の防草構造体の施工方法によれば、板状部材の長辺が防草シートの短辺寸法以下でシート毎に用いられることで、防草シート毎に板状部材を取り付けることができ、施工が容易になる。
【００１８】
（６）好ましくは、本発明に係る防草構造体の施工方法における板状部材は、長辺の寸法が、防草シートの短辺寸法から、隣り合う防草シートとの重なり代部分を除いた寸法以下であり、防草シートを板状部材に取り付ける工程では、隣り合う防草シートの重なり代部分を設けながら、防草シート毎に個別の板状部材を取り付けるようにしてもよい。
本態様の防草構造体の施工方法によれば、板状部材の長辺を防草シートの短辺寸法−重なり代寸法以下にすることで、隣り合う各防草シート間に重なり代を設けながら、防草シート毎に板状部材を取り付けることができる。
【００１９】
（７）好ましくは、本発明に係る防草構造体の施工方法における板状部材は、長辺に沿う折曲部により平坦面が分割された２領域片の少なくとも一方に釘状器具の直径以上の直径で設けられる孔を有し、防草シートが取り付けられた板状部材を設置する工程の後に、釘状器具を、防草シートと板状部材の孔を貫通させて法面に打設する工程を有するようにしてもよい。
本態様の防草構造体の施工方法によれば、板状部材に釘状器具用の孔を有し、釘状器具で板状部材を法面に打設することで、固定強度を向上させることができる。
【００２０】
（８）好ましくは、本発明に係る防草構造体の施工方法における板状部材は、少なくとも隣り合う防草シートの重なり代部分に釘状器具用の孔を有し、釘状器具を法面に打設する工程では、隣り合う防草シートの重なり代部分と板状部材の孔を貫通させて法面に釘状器具を打設するようにしてもよい。
本態様の防草構造体の施工方法によれば、釘状器具用の孔が防草シートの重なり代部分であり、釘状器具で板状部材の重なり代部分を法面に打設することで、重なり代は２倍の厚み寸法であることから、釘状器具部分における防草シートの亀裂を発生し難くでき、固定強度を向上させることができる。また、各防草シート間の接続が、接着または融着のみでなく、針状器具による機械的な接続が加わることから接続強度が増加し、防草構造体としての一体化強度を向上させることができる。
【００２１】
好ましくは、本発明に係る防草構造体の施工方法における防草シートが取り付けられた板状部材を法面に設置する工程では、予め板状部材を埋設可能な寸法の溝を掘る工程と、防草シートが取り付けられた板状部材を埋設する工程を有するようにしてもよい。
本態様の防草構造体の施工方法によれば、予め溝を掘って板状部材を埋設することで法面途中への防草シートの固定を確実にすることができる。
【００２２】
好ましくは、本発明に係る防草構造体の施工方法における予め板状部材を埋設可能な寸法の溝を掘る工程では、溝を形成するために回転する歯を有する工具を用いるようにしてもよい。
本態様の防草構造体の施工方法によれば、溝掘りに細溝を形成可能な回転する歯を有する例えばダイヤモンドカッター等の工具を用いることで溝掘りを容易にすることができる。
【００２３】
好ましくは、本発明に係る防草構造体の施工方法における予め板状部材を埋設可能な寸法の溝を掘る工程では、スコップ状工具を用いて端部に沿うように溝を形成するようにしてもよい。
本態様の防草構造体の施工方法によれば、溝掘りに細溝をスコップ状工具を用いることで溝掘りを容易にすることができる。
【００２４】
好ましくは、本発明に係る防草構造体の施工方法における予め板状部材を埋設可能な寸法の溝を掘る工程では、溝を形成するために、予め板状部材と同等程度の厚みと長さ寸法を有する板状体を法面に打ち込んで溝を形成するようにしてもよい。
本態様の防草構造体の施工方法によれば、溝掘りに先端を尖らせる等土石に刺せる形に加工した板状体（板状部材）を予め打ち込んで溝を形成することで、溝掘りを容易にすることができる。
【００２５】
好ましくは、本発明に係る防草構造体の施工方法における防草シートが取り付けられた板状部材を法面に設置する工程では、防草シートが取り付けられた板状部材を打設するようにしてもよい。
本態様の防草構造体の施工方法によれば、溝を掘らずに板状部材をいきなり打ち込むことで防草シートを敷設する際の工数を削減することができる。
【００２６】
（１４）好ましくは、本発明に係る防草構造体の施工方法における防草シートの端部を板状部材に取り付ける工程の前後に、防草シートにおける板状部材の短辺側からはみ出す部分のうち、隣接する板状部材に取り付け可能な部分から一部を切除する工程を有するようにしてもよい。
本態様の防草構造体の施工方法によれば、防草シートにおける隣接する板上部材に取り付けられる部分の一部を切除することで防草シートの接続を容易にすることができる。
【００２７】
好ましくは、本発明に係る防草構造体の施工方法における隣接する板状部材に取り付け可能な部分から一部を切除する工程では、当該部分のうちの折り返し部の一部を切除するようにしてもよい。
本態様の防草構造体の施工方法によれば、防草シートにおける隣接する板上部材に取り付けられる部分のうち、折り返し部の一部のみを切除することで、防草シートの強度の低下を最小限にしつつ、防草シートの接続を容易にすることができる。
【００２８】
（１６）また、本発明の防草構造体は、上述の施工方法により形成される。
本態様の防草構造体によれば、防草シートの一端に板状部材を固定し、法面に所定角度で設置することで、法面途中への防草シートの固定を容易にすることができる。
【００２９】
（１７）また、本発明の板状部材は、上述の施工方法で用いられ、長辺の寸法が防草シートの短辺寸法以下である。
本態様の板状部材によれば、長辺の寸法を防草シートの短辺寸法以下にすることで、防草シートの一端への板状部材の固定が容易になり、隣りの防草シートに容易に隣接する次の板状部材を固定することができ、法面への所定角度の設置が容易になることから、法面途中への防草シートの固定を容易にすることができる。
【００３０】
（１８）好ましくは、本発明の板状部材は、断面形状がＬ字型、または、への字型であるようにしてもよい。
本態様の板状部材によれば、長断面形状がＬ字型、または、への字型にすることで、防草シートの一端を固定した板状部材を、例えば法面に垂直や、法肩より先の平面又は法尻より先の平面に平行又は垂直等の所定角度で設置することが容易になり、法面途中への防草シートの固定を容易にすることができる。
【発明の効果】
【００３１】
本発明の防草構造体、その施工方法、および板状部材によれば、盛土または切土における法面に防水性防草シートの上端部又は下端部を固定する場合に、法面の土石を掘削する労力を削減すると共に掘削した土石の落下を防ぐと共に、上端部を固定する場合に法面の表面を流れる雨水がシートの下部に流入し難い防草構造体、その施工方法、および板状部材を提供することができる。
【図面の簡単な説明】
【００３２】
【図１】本発明の第１実施形態に係る盛土または切土の法面区域及びその上側隣接区域における防草構造体の設置状態を示した図であり、（ａ）が側面からの断面図であり、（ｂ）が正面図である。
【図２】本発明の各実施形態に係る板状部材を示した図であり、（ａ）が設置状態の法面側から見た下面図であり、（ｂ）が（ａ）の側面図である。
【図３】板状部材の周辺を拡大した示した側面からの断面図であり、（ａ）が図１（ａ）の法面に対して略垂直の角度になるように埋設した場合の板状部材の拡大断面図であり、（ｂ）が図３（ａ）に加えて１枚又は２枚の防草シートと板状部材の孔とを貫通させて釘状器具を法面に打設させた状態の板状部材の拡大断面図であり、（ｃ）が板状部材の折り曲げ角度を埋設側領域片が地表に対して略垂直の角度になるように鈍角にした場合の板状部材の拡大断面図であり、（ｄ）が板状部材を折り曲げないで全て法面に対して略垂直の角度になるように埋設する場合の板状部材の拡大断面図であり、（ｅ）が板状部材を折り曲げないで全て埋設する場合で、地表に対して略垂直の角度になるように埋設した場合の板状部材の拡大断面図である。図である。
【図４】本発明の第２実施形態に係る盛土または切土の法面区域及びその下側隣接区域における防草構造体の設置状態を示した図であり、（ａ）が側面からの断面図であり、（ｂ）が正面図である。
【図５】板状部材の周辺を拡大した示した側面からの断面図であり、（ａ）が図４（ａ）の法面に対して略垂直の角度になるように埋設した場合の板状部材の拡大断面図であり、（ｂ）が図５（ａ）に加えて１枚又は２枚の防草シートと板状部材の孔とを貫通させて釘状器具を法面に打設させた状態の板状部材の拡大断面図であり、（ｃ）が板状部材の折り曲げ角度を埋設側領域片が地表に対して略平行の角度になるように鈍角にした場合の板状部材の拡大断面図であり、（ｄ）が板状部材を折り曲げないで全て法面に対して略垂直の角度になるように埋設する場合の板状部材の拡大断面図であり、（ｅ）が板状部材を折り曲げないで全て埋設する場合で、地表に対して略平行の角度になるように埋設した場合の板状部材の拡大断面図である。
【図６】本発明の第３実施形態に係る盛土または切土の法面区域の中間区域内で上側隣接区域及び下側隣接区域にはかからない防草構造体の設置状態を示した図であり、（ａ）が側面からの断面図であり、（ｂ）が正面図である。
【図７】本発明の長辺の寸法が防草シートの短辺寸法以下の折り曲げない板状部材を用いて、防草シートにおける板状部材の短辺側からはみ出す部分のうち、隣接する板状部材に取り付け可能な部分の折り返し部の一部を切除した状態を示した図である。
【発明を実施するための形態】
【００３３】
＜第１実施形態＞
本発明の防草構造体、その施工方法、および板状部材の第１の実施の形態について、図面を用いて詳細に説明する。
【００３４】
第１実施形態の防草構造体の構成及び施工方法について図１（ａ）、（ｂ）、図２、図３（ａ）及び図７を用いて説明する。
本実施形態の防草構造体１は、改質アスファルト系の防草シート１０に基づいて形成され、盛土または切土９における法面区域３０に下側の端部１３が固定される。
【００３５】
図１（ａ）に示したように、本実施形態の防草構造体１は、複数の防草シート１０が、シート重ね合わせ融着部１１にて接続された構造となっている。このように、適宜選択した寸法の複数の防草シート１０のシート重ね合わせ融着部１１を、加熱融着法またはテープ接着法により張り合わせて用いることにより、本発明の防草構造体１を任意の寸法の法面区域３０と法肩隣接区域に合わせて設置することができる。なお、本発明の防草構造体１は、道路、線路、河川、公園あるいは造林園およびこれらの周辺の地面、表面、法面区域３０と法肩隣接区域など、防草が必要な場所であれば、どのような場所にも用いることができる。
【００３６】
また、防草構造体１は、例えば、所定寸法の防水性防草シート１０を用いて、防草区域の形状に合わせて防草シート１０を切って並べることで作成することができる。複数の防草シート１０の間に隙間ができると、そこから植物が貫通してくることがあるので、各防草シート１０の対向する端部は融着または接着される。具体的には、防草構造体１は、一の防草シート１０における、隣接する他の防草シート１０と重なる端部を、防草シート１０の融着、接着材による接着、および、両面接着テープによる接着、の少なくとも何れかを用いて、例えば、盛土または切土９の法面区域３０と法肩隣接区域上の草の成育を防止する必要がある場所の領域範囲に合わせて固定することで形成される。この複数の防草シート１０を用いることで防草構造体１の施工を容易にすることができる。
【００３７】
また、例えば、法面区域３０と法肩隣接区域の幅が防草シート１０より狭い場合、すなわち法面区域３０と法肩隣接区域の幅が一般的に１ｍ程度以下の場合には、一枚のテープ状の防草シート１０を用いて防草構造体１を設置することができる。
【００３８】
なお、テープ接着法とは、両面に接着性のあるアスファルトテープを、端部と被接着面との間に挿入し、端部と被接着面との固定を行う方法である。住宅地近傍への設置の場合や、設置箇所近傍に下草等の可燃物が多い場合など、火気の使用が制限されている場合には、テープ接着法を用いて防草シート１０を固定することが好ましい。
【００３９】
より詳しくは、本実施形態の防草構造体１は、例えば、まず、堆積された盛土または切土９における法面区域３０と法肩隣接区域上に、敷設場所の形状に合うように、必要に応じて、５０ｍｍ〜２００ｍｍの重なり代で隣接させて配置できるように、防水性防草シート１０を切断したものを配置する。そして、融着の場合は、その重なり代であるシート重ね合わせ融着部１１の端部をトーチバーナーにより溶融させてから固化させることにより相互に加熱融着して防草構造体１を形成するように施工される。また、接着の場合は、その重なり代の端部間に、両面に接着性の自着層（例えば特殊ゴム化アスファルト粘着層）を有するテープを挟むように挿入し、転圧することで接着して防草構造体１を形成するように施工される。
【００４０】
このように防草シート１０をアスファルト系とすることにより、防草構造体１を形成する際のシート同士の接着または融着が容易になるだけでなく、各防草シート１０を固定する際の側溝等の構造物への融着または接着を、加熱または転圧のみであるように容易にすることができる
【００４１】
また、防草構造体１の各防草シート１０を法肩隣接区域上に固定する方法としては、上記した防草シート１０の端部を構造物に融着または接着する方法の他に、盛土または切土９に後述する第二の釘状器具１５等により一の防草シート１０の端部を固定してもよい。また、その一の防草シート１０の固定された端部に他の防草シート１０の端部を接合する場合には、その端部に隣接する他の防草シート１０の端部を重ね、重なり部分を融着または接着により固定するようにしてもよい。
【００４２】
本実施形態で防水性の防草シート１０を用いる理由は、植物の生育には水分が必要であることから、盛土または切土９の法面区域３０や法肩区域に降り注ぐ雨水のうち、少なくとも防水性の防草シート１０上に降ったり流れる雨水が盛土または切土９の中に浸透したりすることを減少させることで、防草シート１０下側の植物の生育を抑制するためである。
【００４３】
しかし、防草構造体１に防水性の防草シート１０を用いても、その各防草シート１０の各シートの隙間から雨水が浸入する場合がある。そのため、本実施形態の防草構造体１では、シート端部を隣接するシートの端部と隙間無く連続的に融着するか接着することで、複数の防水性のシートの重なった隙間から水が浸入しないようにし、防草シート１０下側の植物の生育を抑制を抑制している。また、重なり代の防水性をより完全にするために、重なり代の隙間に、例えば、シリコンを成分に含むコーキング材又はシーリング材（シーラント）等を充填して隙間を無くしてもよい。
【００４４】
盛土または切土９は、例えば、幹線道路、高速道路、鉄道の軌道等を敷設するために土木工事により土石を堆積させて形成される。その場合の盛土または切土９の上面は平面であり、道路や軌道を敷設するための路盤等が設けられると共に、それらの道路や軌道に沿った端部には、排水のための側溝（例えば、Ｕ字溝等の上部構造体２１）等の構造物が設けられる。
【００４５】
防草シート１０は、例えば、１ｍ×１０ｍ等の所定寸法の改質アスファルト系の防草シートであり、法面区域３０と法肩隣接区域上の防草領域の範囲に合わせて、必要に応じて切断され、重なり代が加熱融着又は接着される。本実施形態の防草シート１０は、防水性を有する改質アスファルト系防草シート１０である。従って防草構造体１は防水性を有するので、盛土または切土９内の植物の種子や根への水分の供給を減らすことで植物の生育を抑制することができる。なお、防草シート１０の寸法は、法面区域３０と法肩隣接区域の寸法やその他の施工条件によって、適宜選択することができる。
【００４６】
シート重ね合わせ融着部１１は、防草構造体１における法面区域３０と法肩隣接区域の上下方向に沿う側端部に設けられ、各防草シート１０の側端部でもある。風雨の浸入抑制のため、その端部に沿って、その端部における固定する部分を埋設可能な寸法で掘削された溝に折り込まれ、その防草シート１０の端部に沿って、第二の釘状器具１５を少なくとも防草シート１０を貫通させて法面区域３０と法肩隣接区域に対して間欠的に打ち込むことで、防草シート１０の端部が盛土または切土９の法面区域３０と法肩隣接区域に固定される。
【００４７】
本実施形態の防草シート１０は、下側の端部１３が板状部材４０の平坦面４１、４２、及び、４８に取り付けられる。防草シート１０が取り付けられる板状部材４０は、断面が長方形の一の字型、断面形状がＬ字型、または、への字型でもよい。板状部材４０の断面形状をＬ字型、または、への字型にすることで、防草シート１０の一方の端部１３を固定した板状部材４０を、板状部材４０における長辺の解放端４７側の縁端（端部）を法面に向けて所定角度で、例えば法面区域３０に垂直の所定角度８１や、法肩より先の平面又は法尻より先の平面に略平行又は略垂直等の所定角度８２で、設置することが容易になり、法面区域３０の途中への防草シート１０の固定を容易にすることができる。
【００４８】
上端部１２は、防草構造体１における法面区域３０と法肩隣接区域の上方向の側端部であり、各防草シート１０の上方向の側端部でもある。上端部１２は、所定の幅でＵ字溝等の上部構造体２１に融着または接着することで、固定することができる。固定方法としては、上端部１２は、部構造体２１の露出した区域を、例えば１００ｍｍ以上の幅で覆う。この覆う幅は、１００ｍｍ以上であれば、例えば２００ｍｍ、３００ｍｍでも４００ｍｍでもよい。そして、その上端部１２部分は、融着または接着により固定される。
【００４９】
下端部１３は、法面区域３０に敷設された防草構造体１における下側の側端部であり、各防草シート１０の下端部でもある。本実施形態では、この下端部１３は盛土または切土９の法面区域３０に固定される。固定方法としては、下端部１３は、板状部材４０の平坦面４１、４２、４８に取り付けられ、防草シート１０が取り付けられた板状部材４０における長辺の解放端４７側の縁端（端部）が法面区域３０に向けて所定角度８１で埋め込まれる。その防草シート１０を板状部材４０に取り付ける際には、図７に示したように防草シート１０の下端部１３を折り返して板状部材４０の長辺の端部４７を巻くように取り付け、防草シート１０と板状部材４０との接触部分が融着または接着されて、防草シート１０が板状部材４０に固定される。
【００５０】
埋め込まれる板状部材４０には、第二の釘状器具１５の直径よりも大きい直径Ｄ１で穴４３、４４、４５、４６が設けられている。穴４３、４５が防草シート１０側の領域片４０ａに設けられ、穴４４、４６が解放端４７側の領域片４０ｂに設けられる。解放端４７側の領域片４０ｂが埋め込まれた後にその穴４４、４６に入るように第二の釘状器具１５を打ち込むことで、板状部材４０を固定することができる。
【００５１】
第一の釘状器具１４は、コンクリートの構造体に打ち込んで固定される釘状器具であり、例えば、コンクリート用のビス、ビスとナイロンプラグとの組み合わせ、プラグアンカー、ビスとナイロンプラグと固定ディスクとの組み合わせ等である。防草シート１０を側溝（上部構造体）に固定するために、防草シート１０を貫通して下地のコンクリートにドリル等を用いて削孔し、第一の釘状器具１４を打ち込む。プラグを用いる場合には、先にプラグを挿入してからビス等をハンマーで打ち込むか、ドライバーでねじ込む。第一の釘状器具１４の使用間隔としては、上部構造体２１の上側端面の形成方向に沿って、例えば０．４５ｍおきに間欠的に用いる。このように追加の第一の釘状器具１４で固定することで、上端部１２への防草シート１０の固定をより確実にすることができる。
【００５２】
また、第一の釘状器具１４としては、オールアンカー、コンクリート釘、または測量釘なども用いることができる。オールアンカーとは、アンカー本体、打込みピン、ナットおよびワッシャーがセットになったアンカーのことである。オールアンカーの一例として、直径５ｍｍ、長さ３０ｍｍのものを用いることができる。また、オールアンカーによる固定を確実にするために、さらにオールアンカー用ディスク（例えば、厚さ１．２ｍｍ、直径４５ｍｍ）を用いることができる。また、コンクリート釘による固定を効率的にするために、自動釘打機を用いることが好ましい。
【００５３】
第二の釘状器具１５は、土中に埋める釘またはペグであり、例えば、折り曲げ又は金属加工によりＬ字形状又はＴ字形状等のハンマーによる打ち込みが容易な頭部を有し、反対側の先端は土中に潜り込み易いように尖端になっており、胴部分は直線形状またはだんご形状やスパイラル形状などの異型形状になっている。また、第二の釘状器具１５としてのＬ字型のピンの寸法の一例として、直径９ｍｍ、長辺の長さ２００〜３００ｍｍのものを用いることができる。例えば、第二の釘状器具１５は、防草シート１０の横方向のシート重ね合わせ融着部１１を、当該シート重ね合わせ融着部１１に沿って法面区域３０と法肩隣接区域に対して間欠的な間隔で、防草シート１０を貫通させて打ち込む。これにより、盛土または切土９の法面区域３０と法肩隣接区域に防草シート１０を固定できる。このように防草シート１０のシート重ね合わせ融着部１１を第二釘状器具１５で法面区域３０と法肩隣接区域に固定することで、風による防草シート１０の浮きを抑制することができる。
【００５４】
シート重ね合わせ融着部１１は、各防草シート１０の各側端部のうち、隣接するシートの側端部と隙間無く連続的に融着するか接着する部分であり、５０ｍｍ〜２００ｍｍの重なり代となる部分である。例えば、１００ｍｍを重ねて融着することで、複数の防水性シートの重なった隙間から水が浸入しなくなり、防草シート１０下側の植物の生育を抑制できる。また、重ね合わせ（重なり代）の防水性をより完全にするために、重なり代の隙間に、例えば、シリコンを成分に含むコーキング材又はシーリング材（シーラント）等を充填して隙間を無くしてもよい。
【００５５】
防草シート１０をＵ字溝等の上部構造体２１に固定する場合には、上記融着または接着に加えて、さらに防草シート１０を貫通して打ち込まれる第一の釘状器具１４を、上部構造体２１の形成方向に沿って間欠的に追加の固定手段として用いて固定することで、より確実に固定することができる。
【００５６】
法面区域３０は、盛土または切土９の斜めのスロープ部分であり、この部分の全体、または下側（法尻側）に本実施形態の防草構造体１が配置される。
【００５７】
本実施形態の板状部材４０は、例えば、材料が３ｍｍ厚の鋼材である場合、長辺の長さＬ１が９００ｍｍ、防草シート１０側の領域片４０ａの幅Ｌ２が４０ｍｍ、解放端４７側の領域片４０ｂの幅Ｌ３が４０ｍｍ、穴４３と穴４５との間隔Ｌ４は穴４４と穴４６との間隔Ｌ４と同一の４５０ｍｍ、領域片４０ｂの端部から穴４３までの間隔Ｌ５が２７５ｍｍ、領域片４０ａの端部から穴４３までの間隔Ｌ６が５０ｍｍ、穴４３、４４、４５、４６の直径Ｄ１が１５ｍｍとすることができる。
【００５８】
また、板状部材４０は、材料をＦＲＰ（繊維強化プラスチック）にすることも可能である。繊維としては、安価なガラス繊維を用いたものから、強度を求める場合のカーボン繊維や、さらに強度を求める場合のケプラ（登録商標）等の芳香族ポリアミド（アラミド）系繊維を用いたものが知られている。この場合、例えば、材料が３ｍｍ厚のＦＲＰである場合、長辺の長さＬ１が９００ｍｍ、防草シート１０側の領域片４０ａの幅Ｌ２が６０ｍｍ、解放端４７側の領域片４０ｂの幅Ｌ３が３０ｍｍ、残りのＬ４〜Ｌ６とＤ１は上記と同じとすることができる。また、領域片４０ａの幅Ｌ２は、６０ｍｍに限らず、例えば７５ｍｍ等にしてもよい。
【００５９】
領域片４０ａは、板状部材４０の防草シート１０の大部分が有る側の領域片である。領域片４０ｂは、板状部材４０の解放端４７側の領域片であり、こちら側の領域片が法面区域３０に埋設される。平坦面４１は、断面Ｌ字状に折曲がった板状部材４０の防草シート１０側の領域片４０ａにおける外側の平坦な面である。平坦面４２は、断面Ｌ字状に折曲がった板状部材４０の解放端４７側の領域片４０ｂにおける外側の平坦な面である。
【００６０】
板状部材４０は、その長辺の解放端４７側の領域片４０ｂの縁端が法面区域３０に向けて所定角度８１となるように埋められて設置される。本実施形態の防草構造体１の施工方法によれば、防草シート１０は、その一端である端部１３側に板状部材４０を固定し、法面区域３０に対して所定角度８１で設置されることで、法面区域３０の上下の中間領域への防草シート１０の固定を容易にすることができる。
【００６１】
防草シート１０を板状部材４０に取り付ける際には、防草シート１０の端部１３を折り返して板状部材４０の長辺の端部４７に巻くように取り付け、その端部１３を接着または融着する。防草シート１０を板状部材４０に巻くように取り付けることで、防草シート１０の板状部材４０への取り付け強度を向上させることができる。また、巻くように取り付けた先端部１３が法面区域３０の土中でアンカーのように引き抜き抵抗となることから法面区域３０への固定を強化することができる。
【００６２】
また、防草シート１０の一端を板状部材４０に接着または融着することで、防草シート１０の板状部材４０への取り付けが容易になる。防草シート１０を板状部材４０の長辺の端部４７に巻くように取り付けるとは、例えば、最初に板状部材４０の解放端４７側の領域片４０ｂの内側の平坦面４８に防草シート１０の端部１３を長辺方向に平行になるように揃えて融着又は接着し、残りの防草シート１０を解放端４７、領域片４０ｂの外側の平坦面４２、防草シート１０側の領域片４０ａの平坦面４１の順に融着又は接着するか、逆に平坦面４１から始め、平坦面４２、解放端４７、平坦面４８の順に融着又は接着をすることである。
【００６３】
板状部材４０は、寸法Ｌ１の長辺に沿う折曲部により断面Ｌ字状に折曲がり、平坦面（４１及び４２）を各々有する２領域片４０ａ及び４０ｂに分割された形状である。防草シート１０が取り付けられた板状部材４０は、解放端４７側の領域片４０ｂが法面区域３０に向けて所定角度８１で設置され、防草シート１０側の領域片４０ａは法面区域３０に平行に設置される。折曲がった板状部材４０を用い、折曲がり板状部材４０の解放端４７側の領域片４０ｂが法面区域３０に対して所定角度８１で設置されることで、防草シート１０が板状部材４０のエッジで折り曲げられることが無くなるので、防草シート１０の劣化が減少し、法面区域３０への防草シート１０の固定強度も向上する。
【００６４】
板状部材４０は、上述の施工方法で用いられ、長辺の寸法Ｌ１が防草シート１０の短辺寸法以下である。板状部材４０では、長辺の寸法Ｌ１を防草シート１０の短辺寸法以下にすることで、防草シート１０の一端部１３への板状部材４０の固定が容易になり、隣りの防草シート１０に容易に隣接する次の板状部材４０を固定することができ、法面区域３０への所定角度８１の設置が容易になることから、法面区域３０の上下の中間領域への防草シート１０の固定を容易にすることができる。
【００６５】
板状部材４０は、長辺の寸法Ｌ１が防草シート１０の短辺寸法以下であり、さらに、防草シート１０の短辺寸法から、隣り合う防草シート１０との重なり代部分であるシート重ね合わせ融着部１１を除いた寸法以下である。防草シート１０を板状部材４０に取り付ける場合には、隣り合う防草シート１０のシート重ね合わせ融着部１１を設けながら、防草シート１０毎に個別の板状部材４０が取り付けられる。板状部材４０の寸法Ｌ１の長辺を、防草シート１０の短辺寸法以下で、さらに防草シート１０の短辺寸法からシート重ね合わせ融着部１１の寸法を除いた寸法以下にすることで、隣り合う各防草シート１０間にシート重ね合わせ融着部１１を設けながら、防草シート１０毎に板状部材４０を取り付けることができ、施工が容易になる。
【００６６】
板状部材４０は、寸法Ｌ１の長辺に沿う方向に形成される折曲部により平坦面（４１及び４２）が分割された２領域片４０ａ及び４０ｂに釘状器具１５の直径以上の直径Ｄ１で設けられる孔４３、４４、４５、４６を有する。防草シート１０が取り付けられた板状部材４０が法面区域３０に設置された後に、釘状器具１５が、防草シート１０と板状部材４０の孔４３、４４、４５、４６を貫通させて法面区域３０に打設される。板状部材４０に釘状器具１５用の孔４３、４４、４５、４６を有し、釘状器具１５で板状部材４０を法面区域３０に打設することで、防草構造体１の固定強度を向上させることができる。
【００６７】
板状部材４０は、少なくとも隣り合う防草シート１０のシート重ね合わせ融着部１１に釘状器具１５用の孔４３、４４、４５、４６を有し、釘状器具１５を法面区域３０に打設する場合には、隣り合う防草シート１０の重ね合わせ融着部１１と板状部材４０の孔４３、４４、４５、４６を貫通させて法面区域３０に釘状器具１５を打設する。釘状器具１５用の孔４３は、防草シート１０のシート重ね合わせ融着部１１に設けられる。これにより、釘状器具１５で板状部材４０のシート重ね合わせ融着部１１を法面区域３０に打設することで、シート重ね合わせ融着部１１は２倍の厚み寸法であることから、防草シート１０の釘状器具１５による固定部分における防草シート１０の亀裂を発生し難くできる。また、防草シート１０の固定強度を向上させることができる。また、各防草シート１０間の接続が、接着または融着のみでなく、針状器具による機械的な接続が加わることから接続強度が増加し、防草構造体１としての一体化強度を向上させることができる。
【００６８】
防草シート１０が取り付けられた板状部材４０を法面区域３０に設置する場合には、予め板状部材４０の解放端４７側の領域片４０ｂを埋設可能な寸法の溝を掘り、防草シート１０が取り付けられた板状部材４０を埋設するようにしてもよい。予め溝を掘って板状部材４０の解放端４７側の領域片４０ｂを埋設することで法面区域３０の上下の中間領域への防草シート１０の固定を確実にすることができる。
【００６９】
予め板状部材４０の解放端４７側の領域片４０ｂを埋設可能な寸法の溝を掘る場合には、溝を形成するために例えばダイヤモンドカッター等の回転する歯を有する工具を用いるようにしてもよい。溝掘りに細溝を形成可能な回転する歯を有する工具を用いることで溝掘りを容易にすることができる。
【００７０】
予め板状部材４０の解放端４７側の領域片４０ｂを埋設可能な寸法の溝を掘る場合には、スコップ状工具を用いて端部１３に沿うように溝を形成するようにしてもよい。溝掘りに細溝をスコップ状工具を用いることで溝掘りを容易にすることができる。
【００７１】
予め板状部材４０を埋設可能な寸法の溝を掘る場合には、溝を形成するために、予め板状部材４０と同等以上の厚みと長さ寸法を有する板状体を法面区域３０に打ち込んで溝を形成するようにしてもよい。溝掘りに先端を尖らせる等土石に刺せる形に加工した板状体（板状部材４０）を予め打ち込んで溝を形成することで、溝掘りを容易にすることができる。
【００７２】
防草シート１０が取り付けられた板状部材４０を法面区域３０に設置する場合には、防草シート１０が取り付けられた板状部材４０を、その解放端４７側の領域片４０ｂが法面区域３０に埋設されるように打設してもよい。溝を掘らずに板状部材４０の解放端４７側の領域片４０ｂをいきなり打ち込むことで防草シート１０を敷設する際の工数を削減することができる。
【００７３】
防草シート１０の端部１３を板状部材４０に取り付ける工程の前後に、防草シート１０における板状部材４０の短辺側からはみ出す部分のうち、隣接する板状部材４０に取り付ける部分の一部を切除するようにしてもよい。防草シート１０における隣接する板上部材に取り付けられる部分の一部を切除することで防草シート１０の接続を容易にすることができる。
【００７４】
板状部材４０に取り付ける部分の一部というのは、当該部分のうちの削除される一部の折り返し部７１である。防草シート１０における隣接する板上部材１１に取り付けられる部分のうち、一部の折り返し部７１のみを切除することで、防草シート１０の強度の低下を最小限にしつつ、防草シート１０の接続を容易にすることができる。
【００７５】
折り返し部７１は、図７に示したように板状部材４０に巻くように防草シート１０を取り付ける場合の防草シートにおける板状部材の短辺側からはみ出す部分のうち、隣接する板状部材に取り付け可能な部分から解放端４７の折り返しより先の切除する一部分である。
【００７６】
所定角度８１は、断面Ｌ字状に折曲がった板状部材４０における防草シート１０側の領域片４０ａと解放端４７側の領域片４０ｂとのなす角度であり、本実施形態では直角である。このまま領域片４０ｂを解放端４７側を先頭にして法面区域３０の表面から領域片４０ｂが垂直方向の角度となり、領域片４０ａが法面区域３０の表面と平行になるように埋設する。
【００７７】
図３（ｂ）の場合は、図３（ａ）の場合と比較して、防草シート１０側の領域片４０ａにも第二の釘状器具１５が打ち込まれて固定されている点で異なっている。このように複数方向に第二の釘状器具１５を打ち込むことで、第二の釘状器具１５がより抜けにくくなり、防草構造体１の固定をさらに強固にすることができる。
【００７８】
図３（ｃ）の板状部材５０は、板状部材４０とは所定角度８２が異なる部材である。所定角度８２は、断面への字状に折曲がった板状部材５０における防草シート１０側の領域片５０ａと解放端５７側の領域片５０ｂとのなす角度であり、本実施形態では埋設側の領域片５０ｂが地表に対して略垂直の角度になる鈍角である。埋設処理ではこのまま領域片５０ｂを解放端５７側を先頭にして法面区域３０の表面から領域片５０ｂが地表に対して略垂直の角度となり、領域片５０ａが法面区域３０の表面と平行になるように埋設する。
【００７９】
領域片５０ａは、板状部材５０の防草シート１０の大部分が有る側の領域片である。領域片５０ｂは、板状部材５０の解放端５７側の領域片であり、こちら側の領域片が法面区域３０に埋設される。平坦面５１は、断面への字状に折曲がった板状部材５０の防草シート１０側の領域片５０ａにおける外側の平坦な面である。平坦面５２は、断面への字状に折曲がった板状部材５０の解放端５７側の領域片５０ｂにおける外側の平坦な面である。
【００８０】
図３（ｄ）の板状部材６０は、板状部材４０や５０とは異なり折れ曲がっていない平坦な板状部材であり、例えば、板状部材４０の領域片４０ｂのみを分離させたものである。本実施形態では、この折り曲げ部を有さない平坦な板状部材６０を法面区域３０に垂直の所定角度８１で埋設している。このように、折り曲げ部を有さない平坦な板状部材６０であっても本発明を実施することができる。
【００８１】
図３（ｅ）の板状部材６０も、板状部材４０や５０とは異なり折れ曲がっていない平坦な板状部材であり、例えば、板状部材４０の領域片４０ｂのみを分離させたものである。本実施形態では、この折り曲げ部を有さない平坦な板状部材６０を法肩より先の平面又は法尻より先の平面に略垂直の所定角度８２で埋設している。このように本実施形態では、折り曲げ部を有さない平坦な板状部材であっても実施することができる。
【００８２】
なお、本実施形態では、防草シート１０として改質アスファルト系のものを用いたが、本発明はこれに限定されるものではなく、市販の防水性防草シートから適宜選択して用いても効果を得ることができる。しかし、特に、可撓性、防水性および遮光性を有し、シート状の形状を有するものは、良好な耐久性を有することから好適に用いることができる。本発明に用いる防草シート１０の具体例として、優れた可撓性、防水性および遮光性を有する改質アスファルト系防草シート１０、例えば、特開２００２−２７２３４８号公報（特許文献１）に開示された改質アスファルト系防草シート１０を好ましく用いることができる。
【００８３】
「改質アスファルト系防草シート１０」とは、改質アスファルトを材料として含む防草シート１０のことをいう。改質アスファルトとしては、具体的には後述する耐貫通型防草シートの（ｂ）改質アスファルト層および（ｄ）改質アスファルト層に用いることのできる改質アスファルトと同様のものを用いることができる。改質アスファルト系防草シート１０としては、単層の改質アスファルトからなるシートのみならず、２層の改質アスファルト層の間に不織布等からなる基材層を含む構造のものを用いることができる。
【００８４】
また、改質アスファルト系防草シート１０は、さらに表面層および裏面層を含むことができる。表面層は、後述する耐貫通型防草シートの（ａ）表面層と同様のものを用いることができる。また、裏面層には、合成樹脂フィルムを好適に用いることができる。合成樹脂フィルムとしては、具体的には、ＨＤＰＥフィルム（高密度ポリエチレン）およびＯＰＰフィルム（二軸延伸成形ポリプロピレン）などから選択したものを好適に用いることができる。また、後述する耐貫通型防草シートの（ｅ）裏面層と同様のものを用いることができる。
【００８５】
改質アスファルト系防草シート１０の構造の一例は、表面層、改質アスファルト層、基材層、改質アスファルト層および裏面層をこの順番で有する構造であるが、これらの層の全てを含む必要はなく、また、さらなる層を含むこともできる。
【００８６】
また、本発明の防草構造体１に用いる、防草シート１０の材料として改質アスファルト系防草シート１０を用い、端部を加熱融着法によりＵ字溝等の上部構造体２１の法面側側壁２６に対して、固定することが好ましい。加熱融着法を用いることにより、防草シート１０と、ボックスカルバート２１の露出部近辺の上面及びＵ字溝等の上部構造体２１の法面側側壁２６との接着・固定をさらに確実にすることができ、隙間の発生を確実に防止することができるためである。
【００８７】
また、本発明の防草構造体１に含まれる防草シート１０として、改質アスファルト系防草シート１０の１種である、硬く鋭い雑草の芽の防草シート１０に対する貫通防止性に優れる耐貫通型防草シートを用いることが特に好ましい。
【００８８】
＜耐貫通型防草シート＞
耐貫通型防草シートは、（ａ）無機質粒子または無機質粒子を含有する合成樹脂を含む表面層、（ｂ）改質アスファルト層、（ｃ）基材層、（ｄ）改質アスファルト層および（ｅ）合成樹脂または無機質粒子を含有する合成樹脂を含む裏面層の少なくとも５層をこの順で積層した耐貫通型防草シートであって、（ｃ）基材層が、織布、編み布および不織布からなる群より選ばれる少なくとも一つである基材Ａと、スクリムを有する基材Ｂとを含み、基材Ａの織布、編み布および不織布が、芯部と鞘部とを有する芯鞘構造の繊維を含み、芯部が融点２００℃以上の繊維および鞘部が融点２００℃以上の樹脂であり、（ｅ）裏面層の合成樹脂が硬質合成樹脂である耐貫通型防草シートである。
【００８９】
耐貫通型防草シートの好ましい態様を以下に示す。耐貫通型防草シートでは、これらの態様を適宜組み合わせることができる。
（ｅ）裏面層の硬質合成樹脂が、ポリプロピレン、ポリエステル、ポリカーボネート、ポリアミドイミド、ポリエステルイミド、ポリアミド、ポリイミド、ポリ塩化ビニルおよびポリハロゲン化ポリビニルからなる群より選択される少なくとも一つの合成樹脂である。
（２）（ｅ）裏面層が、厚さ１０〜５０μｍの二軸延伸成形ポリプロピレンフィルムである。
（３）（ｃ）基材層が、基材Ａと、基材Ｂと、基材Ａとをこの順に積層し、接着された、もしくは熱融着された三層構造を有する。
（４）芯部と鞘部とが、熱融着されている。
（５）基材Ｂが、複数の互いに平行な略等間隔の高強度繊維の繊維束からなる組を２組以上有し、異なった組の繊維束は、略等角度で互いに交差しあうスクリムである。
（６）基材Ａと、基材Ｂとの接触部の少なくとも一部が、融点２００℃以上の樹脂および／または２００℃で熱分解しない接着剤により接着されている、もしくは熱融着されている。
（７）（ｃ）基材層が、７５〜５００ｇ／ｍ２の目付量を有する。
（８）（ａ）表面層が、天然スレート、タルクおよびマイカからなる群より選ばれる少なくとも一種以上の、扁平状の無機質粒子を含む。
【００９０】
また、耐貫通型防草シートは、上記の防草シート１０を敷設した防草構造体１に用いることができる。
【００９１】
＜耐貫通型防草シートの効果＞
耐貫通型防草シートにより、道路、線路、河川、公園、または、造林園、および、これらの周辺などの地面、表面、特に法面区域３０と法肩隣接区域での草の成育を防止ための、遮光性を有して、耐候性、機械的特性、不透水性に優れ、さらに硬く鋭い雑草の芽の防草シート１０に対する貫通防止性に優れる防草シート１０を得ることができる。
【００９２】
＜（ｂ）層および（ｄ）層の改質アスファルト＞
（ｂ）層および（ｄ）層の改質アスファルトとしては、アスファルトおよびポリマーを含むもの、アスファルト、ポリマーおよび無機充填材の３成分を含むものなどを用いることができる。（ｂ）層および（ｄ）層の改質アスファルトとしては、アスファルト１００重量部に対し、ポリマー１０〜４０重量部、および無機充填材０〜２０重量部を含むものを用いることが好ましい。
【００９３】
改質アスファルトは、アスファルトおよびポリマーを含むもの、アスファルト、ポリマーおよび無機充填材の３成分を含むものなどを１２０〜２００℃で３〜３０時間加熱混合して調製したものを用いることが、防水・防湿性、伸縮性などに優れているために好ましい。
【００９４】
改質アスファルトには、以上述べた成分のほかに、プロセスオイル、ワセリン、セレシン、石油樹脂など、一般に合成樹脂やゴムの配合で用いられる撥水剤、顔料、増粘剤、耐光剤、耐候剤などの無機や有機の配合剤を添加してもよい。
【００９５】
（ｂ）層および（ｄ）層の改質アスファルトにおいて、アスファルトとしては、天然アスファルトやアスファルタイトなど天然に産するもの、ストレートアスファルト、ブローンアスファルト、カットバックアスファルト等の石油アスファルト、またはこれらのアスファルトの混合物等が好ましい。
【００９６】
（ｂ）層および（ｄ）層の改質アスファルトにおいて、ポリマーとしては、天然ゴム、合成ゴム、天然ゴムと合成ゴムとの混合物、ポリエチレン、エチレン酢酸ビニル共重合体、エチレンとアクリル酸誘導体との共重合体、ポリプロピレン、ポリブテン−１、ポリ４−メチルペンテン−１、ポリスチレン、アクリロニトリル・スチレン共重合体、ＡＢＳ樹脂、ポリ塩化ビニル、ポリアクリロニトリル、スチレンとブタジエンとの重合体（例えば、ＳＢＳなど、ＳＢＲなど）等を使用することができる。特にＳＢＳなどのゴム系が好適である。
【００９７】
（ｂ）層および（ｄ）層の改質アスファルトにおいて、無機充填材としては、炭酸カルシウム、ケイ酸マグネシウム、ケイ酸カルシウム、ケイ酸アルミニウム、無水ケイ酸、クレー、カーボンブラック、タルク、マイカ、硫酸バリウム、珪藻土、シリカ等の粒子状無機充填材、石綿やガラス繊維などの繊維状無機充填材を用いることができる。
【００９８】
（ｂ）層および（ｄ）層の改質アスファルトは、針入度が、好ましくは１０ｄｍｍ〜２００ｄｍｍの範囲、さらに好ましくは１５ｄｍｍ〜１００ｄｍｍの範囲、より好ましくは２０ｄｍｍ〜５０ｄｍｍの範囲、特に好ましくは２５ｄｍｍ〜３５ｄｍｍの範囲が柔軟性に優れるために好ましい。
【００９９】
耐貫通型防草シートでは、（ｂ）層および（ｄ）層として、上記組成の改質アスファルトを用いることにより、特に法面区域３０と法肩隣接区域に配置した場合には、法面区域３０と法肩隣接区域上部に不透水性に優れた層を形成することができ、雑草の生育に不可欠な水分を遮断できるのみならず、法面区域３０と法肩隣接区域が盛り土で構築されている場合には、法面区域３０と法肩隣接区域上部（法肩）からの雨水の浸透に伴う法面区域３０と法肩隣接区域自体の帯水を効果的に防止することにより、集中豪雨などに伴う法面区域３０と法肩隣接区域地盤の崩壊を回避することができる。
【０１００】
＜裏面層＞
耐貫通型防草シートは、裏面層が、合成樹脂または無機質粒子を含有する合成樹脂を含む。（ｅ）裏面層は、合成樹脂フィルムまたは無機質粒子を含有する合成樹脂フィルムであることが好ましい。
【０１０１】
（ｅ）裏面層の合成樹脂は、硬質合成樹脂である。裏面層に、硬質合成樹脂を材料としたフィルムを用いることによって、チガヤなどの雑草の芽が、耐貫通型防草シートの（ｅ）裏面層を貫くことが防止できる。また、合成樹脂フィルムの表面滑性を活かして、雑草の芽の成長方向をシート裏面と平行な方向に誘導することが可能となる。
【０１０２】
（ｅ）裏面層の合成樹脂フィルムの合成樹脂としては、耐光性および耐候性に優れたものを使用することが好ましい。
【０１０３】
耐貫通型防草シートに用いる（ｅ）裏面層としては、厚さが、好ましくは１０〜５０μｍであり、さらに好ましくは１２〜４０μｍであり、特に好ましくは１５〜３０μｍの硬質合成樹脂フィルムを好適に使用できる。（ｅ）裏面層である硬質合成樹脂フィルムが前記範囲より厚い場合、チガヤの芽が耐貫通型防草シートを貫通するのを防止する効果は高くなるものの、耐貫通型防草シートの柔軟性が損なわれることがある。そのため、耐貫通型防草シートを製造したのちロール状に梱包するとシート表面にシワが発生するなどの問題が生じる可能性があり、また施工作業においても敷設時の作業性が損なわれる可能性がある。また、（ｅ）裏面層の合成樹脂フィルムが前記範囲より薄い場合には、硬く鋭いチガヤの芽が耐貫通型防草シートを貫通するのを防止する効果が小さくなる。硬質合成樹脂フィルムが前記範囲内であると、これらの問題が生じないため、好ましい。
【０１０４】
このように本実施形態の防草構造体、その施工方法、および板状部材によれば、盛土または切土における法面に防水性防草シートの上端部又は下端部を固定する場合に、法面の土石を掘削する労力を削減すると共に掘削した土石の落下を防ぐ防草構造体、その施工方法、および板状部材を提供することができる。
【０１０５】
＜第２実施形態＞
本発明の防草構造体、その施工方法、および板状部材の第２の実施の形態について、図面を用いて詳細に説明する。
図４（ａ）、（ｂ）、図５（ａ）と共に図２及び図７を用いて説明する。
第２実施形態の防草構造体とその施工方法は、第１実施形態が法肩から法面途中まで防草構造体を敷設する場合の防草構造体であり、その各防草シートの下端部を法面の中間領域に固定する施工方法であるのに対して、第２実施形態は法尻から法面途中まで防草構造体を敷設する場合の防草構造体と、その各防草シートの上端部を法面の中間領域に固定する施工方法である点で異なっている。
【０１０６】
そのため、下端部１３は、防草構造体１における法面区域３０と法尻隣接区域の下方向の側端部であり、各防草シート１０の下方向の側端部でもある。下端部１３は、所定の幅でＵ字溝等の下部構造体２２に融着または接着することで、固定することができる。固定方法としては、下端部１３は、下部構造体２２の露出した区域を、例えば１００ｍｍ以上の幅で覆う。この覆う幅は、１００ｍｍ以上であれば、例えば２００ｍｍ、３００ｍｍでも４００ｍｍでもよい。そして、その下端部１３部分は、融着または接着により固定される。
【０１０７】
上端部１２は、法面区域３０に敷設された防草構造体１における上側の側端部であり、各防草シート１０の上端部でもある。本実施形態では、この上端部１２は盛土または切土９の法面区域３０に固定される。固定方法としては、上端部１２は、板状部材４０の平坦面４１、４２、４８に取り付けられ、防草シート１０が取り付けられた板状部材４０における長辺の解放端４７側の端部が法面区域３０に向けて所定角度８１で埋め込まれる。その防草シート１０を板状部材４０に取り付ける際には、図７に示したように防草シート１０の上端部１２を折り返して板状部材４０の長辺の端部４７を巻くように取り付け、防草シート１０と板状部材４０との接触部分が融着または接着されて、防草シート１０が板状部材４０に固定される。
【０１０８】
本実施形態の場合、防水性の防草シート１０を板状部材４０に巻くように取り付けることで、防草シートの板状部材への取り付け強度を向上させることができ、法面への固定を強化できることに加え、防草シート１０の上端部１２を法面区域３０に横方向に埋設することで、法面区域３０の上部から表層を流れてきた地表面流下雨水が防草シート１０の裏側に流入することを抑制できる。
【０１０９】
図５（ｂ）の場合は、図５（ａ）の場合と比較して、防草シート１０側の領域片４０ａにも第二の釘状器具１５が打ち込まれて固定されている点で異なっている。このように複数方向に第二の釘状器具１５を打ち込むことで、第二の釘状器具１５がより抜けにくくなり、防草構造体１の固定をさらに強固にすることができる。
【０１１０】
図５（ｃ）の板状部材５０は、図３（ｃ）を用いて上記したように板状部材４０とは所定角度８２が異なる部材である。所定角度８２は、断面への字状に折曲がった板状部材５０における防草シート１０側の領域片５０ａと解放端５７側の領域片５０ｂとのなす角度であり、本実施形態では埋設側の領域片５０ｂが地表に対して略平行の角度になる鈍角である。埋設処理ではこのまま領域片５０ｂを解放端５７側を先頭にして法面区域３０の表面から領域片５０ｂが地表に対して略平行の角度となり、領域片５０ａが法面区域３０の表面と平行になるように埋設する。その他の板状部材５０については図３（ｃ）を用いて上記した説明と同様になり重複するので省略する。
【０１１１】
図５（ｄ）の板状部材６０も、図３（ｄ）を用いて上記したように板状部材４０や５０とは異なり折れ曲がっていない平坦な板状部材であり、例えば、板状部材４０の領域片４０ｂのみを分離させたものである。本実施形態では、この折り曲げ部を有さない平坦な板状部材６０を法面区域３０に垂直の所定角度８１で埋設している。このように、折り曲げ部を有さない平坦な板状部材６０であっても本発明を実施することができる。
【０１１２】
図５（ｅ）の板状部材６０も、板状部材４０や５０とは異なり折れ曲がっていない平坦な板状部材であり、例えば、板状部材４０の領域片４０ｂのみを分離させたものである。本実施形態では、この折り曲げ部を有さない平坦な板状部材６０を法肩より先の平面又は法尻より先の平面に略平行の所定角度８２で埋設している。このように本実施形態では、折り曲げ部を有さない平坦な板状部材であっても実施することができる。
【０１１３】
このように本実施形態の防草構造体、その施工方法、および板状部材によれば、盛土または切土における法面に防水性防草シートの上端部を固定する場合に、法面の土石を掘削する労力を削減すると共に掘削した土石の落下を防ぐと共に、上端部を固定する場合に法面の表面を流れる雨水がシートの下部に流入し難い防草構造体、その施工方法、および板状部材を提供することができる。
【０１１４】
＜第３実施形態＞
本発明の防草構造体、その施工方法、および板状部材の第３の実施の形態について、図面を用いて詳細に説明する。
図６（ａ）、（ｂ）、図３（ａ）、図５（ａ）と共に図２及び図７を用いて説明する。
第３実施形態の防草構造体とその施工方法は、第１実施形態が法肩から法面途中まで防草構造体を敷設する場合の防草構造体で、その各防草シートの下端部を法面の中間領域に固定する施工方法であり、第２実施形態が法尻から法面途中まで防草構造体を敷設する場合の防草構造体で、その各防草シートの上端部を法面の中間領域に固定する施工方法であるのに対して、第３実施形態は法面途中に防草構造体が全部有り、つまり防草構造体の上端も下端も法尻に敷設する場合の防草構造体と、その各防草シートの上端部を法面の中間領域に固定する施工方法である点で異なっている。
【０１１５】
上端部１２は、第２実施形態のように、盛土または切土９の法面区域３０に固定される。固定方法としては、上端部１２は、板状部材４０の平坦面４１、４２、４８に取り付けられ、防草シート１０が取り付けられた板状部材４０における長辺の解放端４７側の端部が法面区域３０に向けて所定角度８１で埋め込まれる。その防草シート１０を板状部材４０に取り付ける際には、図７に示したように防草シート１０の上端部１２を折り返して板状部材４０の長辺の端部４７を巻くように取り付け、防草シート１０と板状部材４０との接触部分が融着または接着されて、防草シート１０が板状部材４０に固定される。
【０１１６】
下端部１３は、第１実施形態のように、盛土または切土９の法面区域３０に固定される。固定方法としては、下端部１３は、板状部材４０の平坦面４１、４２、４８に取り付けられ、防草シート１０が取り付けられた板状部材４０における長辺の解放端４７側の端部が法面区域３０に向けて所定角度８１で埋め込まれる。その防草シート１０を板状部材４０に取り付ける際には、図７に示したように防草シート１０の下端部１３を折り返して板状部材４０の長辺の端部４７を巻くように取り付け、防草シート１０と板状部材４０との接触部分が融着または接着されて、防草シート１０が板状部材４０に固定される。
【０１１７】
本実施形態の場合、防水性の防草シート１０を板状部材４０に巻くように取り付けることで、防草シートの板状部材への取り付け強度を向上させることができ、法面への固定を強化できることに加え、防草シート１０の上端部１２を法面区域３０に横方向に埋設することで、法面区域３０の上部から表層を流れてきた地表面流下雨水が防草シート１０の裏側に流入することを抑制できる。
【符号の説明】
【０１１８】
１  防草構造体、
９  盛土または切土、
１０  防草シート、
１１  シート重ね合わせ融着部、
１２  上端部、
１３  下端部、
１４  第一の釘状器具（ナイロンプラグ＋ディスク）、
１５  第二の釘状器具（Ｌ字ピン）、
２１  上部構造体、
２２  下部構造体、
３０  法面区域、
４０  （断面Ｌ字状）板状部材、
４０ａ  （板状部材４０の防草シート１０側の）領域片、
４０ｂ  （板状部材４０の解放端４７側の）領域片、
４１  （領域片４０ａの外側の）平坦面、
４２  （領域片４０ｂの外側の）平坦面、
４７  （領域片４０ｂの）解放端、
４８  （領域片４０ｂの内側の）平坦面、
４３  （領域片４０ａの重なり代部分の）穴、
４４  （領域片４０ｂの中央により近い）穴、
４５  （領域片４０ａの中央により近い）穴、
４６  （領域片４０ｂの端部により近い）穴、
５０  （断面への字状）板状部材、
５０ａ  （板状部材５０の防草シート１０側の）領域片、
５０ｂ  （板状部材５０の解放端４７側の）領域片、
５１  （領域片５０ａの外側の）平坦面、
５２  （領域片５０ｂの外側の）平坦面、
５７  （領域片５０ｂの）解放端、
５８  （領域片５０ｂの内側の）平坦面、
６０  （折り曲げ無しの平坦な）板状部材、
６２  （板状部材６０の外側の）平坦面、
６７  （板状部材６０の）解放端、
６８  （板状部材６０の内側の）平坦面、
Ｌ１  （板状部材４０の）長辺の長さ、
Ｌ２  （防草シート１０側の）領域片４０ａの幅、
Ｌ３  （解放端４７側の）領域片４０ｂの幅、
Ｌ４  （穴４３と穴４５との）間隔、及び、（穴４４と穴４６との）間隔、
Ｌ５  （領域片４０ｂの端部から穴４３までの）間隔
Ｌ６  （領域片４０ａの端部から穴４３までの）間隔。
【図１】
0005463917.tif 000002
【図２】
0005463917.tif 000003
【図３】
0005463917.tif 000004
【図４】
0005463917.tif 000005
【図５】
0005463917.tif 000006
【図６】
0005463917.tif 000007
【図７】
0005463917.tif 000008